(57)【要約】【課題】手洗いにおいて  洗面所のある場所はどこでも  手洗い物質はおいてあるがその管理は洗面所の出来たてのときは  しっかりやっているが、時が経つにつれ、なおざりになり  手洗い物質に  さわるのもはばかられるほど  変質しているのもまれではない。これを解決する手段として  次のように考える。【解決手段】各個人が  自分で手洗い物質を  携帯し  必要なときに  ケースから取り出して  使用するという考え方で  薬液は  オブラート状の物質で覆われた直径１ｃｍ〜１．５ｃｍの球状のもので  潰して使用する。こうすることで  手洗い物質による感染を防ぐことができる。また  ファッション感覚も取り入れることができ子供からお年寄りまで抵抗なく  また進んで手洗いが行われる。【選択図】図４
2008142489.tif 000002
【特許請求の範囲】
【請求項１】
外出先での  手洗いについて  レストラン、ショッピングビル、官公庁施設等のトイレ、洗面所では  手の消毒に関して  共同利用がほとんどで  感染の危険をはらんでいる。この現状を改善可能とする。
【請求項２】
容器の大きさにより  大人、子供  或いは  必要量の１回分を適正管理でき、これを入れる携帯容器も  また適正管理できる。
【請求項３】
病院については  特に共同利用は  院内感染につながりやすくこれを解決する手段の一つとなる。
【請求項４】
現在  要望が高まっている救急医療の現場における初期治療に関して  便利さについても  そのスピードに  改善度が高まる。
【請求項５】
手洗いを行う事  自体楽しくなり  子どもからお年寄りまで抵抗なく利用できる。
【請求項６】
一つの容器の中に多数個の種類を入れることができるので  一個一個に  違った香りを持たせることができ  今までの手洗いの感覚を一変することができる。
【請求項７】
オフィスでもその新感覚にマッチしており  違和感はなく  お客様にも  喜ばれる。
【発明の詳細な説明】
【技術分野】
【０００１】本発明は  今までの  手洗いについては  単一のものを一か月近くも、しかも共同の範囲でしか捉えられていなかったが、この手法により、多種、個個人により  利用できる。
【背景技術】
【０００２】手洗いについては、単一のものを  一か月近く使用し、感染の危険があるし、毎日同じ香りに  つい手洗いが  面倒、億劫、になりがちである。  現場の救急医療にとって消毒は  最初の医療行為であるが  必要量をもって行きにくい。
【特許文献１】
【非特許文献１】
【発明の開示】
【発明が解決しようとする課題】
【０００３】手洗いが  面倒、億劫、同じ手洗い物質を共同で、長期間しようする。このことで手洗いが  実行されなかったり、感染、が広がる結果となる。
【課題を解決するための手段】
【０００４】上記目的を達成するために  ２つの条件で考慮していく。１つは  同じ手洗い物質を長期間使用させないために  手洗い場に設置せず手洗い物質を  手洗い者自身で管理させる。これは１回１回を別の手洗い物質に  切り替えなければならない。そのためタバコケース大に１回分の  使用量およそ  １（ｃｍ３）を十数個  入れ携帯してもらう。２つ目は  使用するとき  汚れた手を使ってケースを取り出しても意味がないので紐を引っ張ってケースを取り出しケースの底を少し叩いて中の手洗い物質を取り出すようにする。【０００５】もう一つ  手洗い物質自体は  液体で  球状の透明の厚いオブラートのような物質を使用したものの中に入れる。  手で叩いた瞬間に  手洗い物質が手に行きわたり  十分に洗浄した後で水洗いする。こうして洗面所での  感染経路を一つ取り除くことができる。【０００６】対消費者サービスとして  手洗い物質を  一回一回に分離した他の利点として１ケースに入る個々のおよそ１（ｃｍ３）について  別々のを設定でき  その香りも消費者の個性、性別、年齢、地域のニーズに対応できる。【０００７】一回一回の使用量については  大人と子供でことなるし、出先の救急医療の現場ではスタッフ自身に消毒や  患者の患部への消毒薬の提供についても  その使用量は異なってくる。【０００８】手洗い物質を薄めてやれば  水で洗い落す必要がなくなり  あらゆる場所で  必要なとき  手の洗浄ができる。手洗いを洗面所で  しなければならない、と言う固定観念から脱却できる。
【発明の効果】
【０００９】波及効果として  水の使用量を減少させることができる。現状では他人が使用した洗浄物質は  使用前に水でたんねんに洗わなければ  なんとなく使用しずらい。【００１０】手洗い物質を軽くたたくことによりつぶして  中の薬液を出して使用するので  手洗いのとき  感染経路を  ほとんど遮断することができる。一個一個完全に使い切ることにより  中途半端な使用で手洗い物質を捨てることがなくなり  経費がすくなくてすむ。また他人が使用した後の手洗い物質を  使用することがないので  他人からの感染も心配されない。持ち歩くケースのなかの手洗い物質は数個はいるので  いろいろの種類の手洗い物質が入れられるので  アレルギー体質の人にも専用セットを持たせる  ことができ、消費者が自分の好みの手洗い物質だけケースにセットして購入できるので  無駄が省ける。【００１１】医療現場では  用途に応じて  手洗い物質の  容量を変えることができるので  患者が必要とする薬品を入れ  いろいろな患部の消毒や治療に利用できる。また  患者自身に携帯してもらえば  手洗いのために  わざわざ遠くの洗面所に行かなくてすむ。【００１２】商品自体についても  お中元、お歳暮のときだけ手洗い物質がもてはやされていた時代は  終わり、  このように  手洗い物質が持ち歩けるようになると、  日常的、ファション感覚のある製品として  年齢層を問わず  若い人たちにも  受け入れられる。
【発明の実施するための最良の形態】
【００１３】図１は  １〜３までは  手洗い物質で直径１０ｍｍから１５ｍｍの大きさの球形をしたもので  ４、５、６、８はケースの外形である。図２，図３ではケースの役割を示しており、７のスプリングによって  ６の上側ケースと８の下側ケースを支え  手洗い物質を取り  出す時は  ６と８を押すことによって９と１０の取り出し口が共通になり  手洗い物質を取り出すことができる。
【００１４】図４には１１（１〜３の拡大図）が示してあり１２はオブラート状の柔らかい  液を保持できる物質で  １３の薬液を安全に保管する役割をする。また必要なとき  このオブラート球を手で押えると  中の薬液が出てくるようになっている。
【図面の簡単な説明】
【００１５】
【１】薬液球  Ａ種【２】薬液球  Ｂ種【３】薬液球  Ｃ種【４】下側ケース【５】上側ケース【６】上側ケース【７】上下間を支えるバネ【８】下側ケース【９】上側ケースの薬液球の出口【１０】下側ケースの薬液球の出口【１１】薬液球図１、図２、図３の拡大図【１２】薬液を包むオブラート状の容器【１３】薬液
【図１】
2008142489.tif 000003
【図２】
2008142489.tif 000004
【図４】
2008142489.tif 000005
【手続補正書】
【提出日】平成19年2月19日(2007.2.19)
【手続補正１】
【補正対象書類名】明細書
【補正対象項目名】００１５
【補正方法】追加
【補正の内容】
【００１５】
【図面の簡単な説明】
【図１】
・番号１から番号３までは  手洗い物質が容器に入った状態を示す。番号で区別しているのは  色いわゆる香りが異なることを示している。・番号４はケースの底の部分を表わす。・番号５はケースの蓋の部分を表わす。ケースの蓋と底が  くっついているときは  手洗い物質が取り出せる状態である。
【図２】
・ケースの正面図を示す。・番号６はケースの蓋を示す。・番号７はケースの底と蓋がこの距離にあるとき  手洗い物質は外に出たり汚れたりしない。・番号８はケースの底を示す。・番号９は  蓋の出口を示す。・番号１０は  底の出口を示す。
【図３】
・ケースの側面図を示す。・番号１１はケースの蓋をしめす。・番号１２はケースの蓋の出口を示す。・番号１３はケースの底を示す。・番号１４はケースの底の出口を示す。
【図４】
・番号１５から番号１７までは  手洗い物質の役割を定義するもので消毒液１、消毒液２、香り液と言うように１個にまとめてしまうとこの１個で  手洗い、消毒が一度にできるようになる。また、この球状の  容器は手で簡単に潰して薬液を使用できる。
【手続補正２】
【補正対象書類名】図面
【補正対象項目名】全図
【補正方法】変更
【補正の内容】
【図１】
2008142489.tif 000006
【図２】
2008142489.tif 000007
【図３】
2008142489.tif 000008
【図４】
2008142489.tif 000009